(57)【要約】【課題】寒冷地において、ファインダ装置内のミラーは、装置内外の温度差により結露することがある。ミラーの結露防止を装置内の放熱を行いながら、少ない部品点数で実現する。【解決手段】表示部と、前記表示部に表示される画像を反射するミラーと、前記ミラーを保持する保持部材と、電気素子と弾性伝熱部材を有し、前記弾性伝熱部材は前記電気素子と前記保持部材に接し、前記保持部材と前記ミラーの非反射面が接している。【選択図】図６ｂ
2018107556.tif 000002
【特許請求の範囲】
【請求項１】
表示部と、前記表示部に表示される画像を反射するミラーと、前記ミラーを保持する保持部材と、電気素子と弾性伝熱部材を有し、前記弾性伝熱部材は前記電気素子と前記保持部材に接し、前記保持部材と前記ミラーの非反射面が接していることを特徴とするファインダ装置。
【請求項２】
表示部と、前記表示部に表示される画像を反射するミラーと、前記ミラーを保持する保持部材と、電気素子と弾性伝熱部材と両面接着部材を有し、前記弾性伝熱部材は前記電気素子と前記保持部材に接し、前記保持部材と前記ミラーの非反射面が両面接着部材を介して接続することを特徴とするファインダ装置。
【請求項３】
前記電気素子が、前記画像を制御する画像処理素子であることを特徴とする請求項１または請求項２に記載のファインダ装置。
【請求項４】
前記撮像素子が前記ミラーの反射面投影方向において、前記ミラーの中心に位置することを特徴とする請求項１または請求項２に記載のファインダ装置。
【請求項５】
前記保持部材が請求項１または請求項２に記載のファインダ装置の外観の一部となることを特徴とする請求項１または請求項２に記載のファインダ装置。
【請求項６】
表示部と、前記表示部に表示される画像を反射するミラーと、前記ミラーを保持する保持部材と、前記ミラーの第二の側面を覆う第一の外装部材と、弾性部材を有し、前記保持部材は前記ミラーの前記第一の側面との当接面を持ち、前記弾性部材は前記保持部材と前記第一の外装部材の間に位置し、かつ、前記第一の外装部材と前記ミラーの前記第二の側面の間に位置することを特徴とするファインダ装置。
【請求項７】
前記ミラーの前記反射面に接する第二の弾性部材、第三の弾性部材と、前記第二の弾性部材、前記第三の弾性部材とそれぞれに接し、前記保持部材に第一の締結部、第二の締結部でそれぞれ締結される第一の押さえ部材、第二の押さえ部材を有し、前記第一の締結部と前記第二の締結部を結ぶ方向と、前記第一の弾性部材と前記当接部を結ぶ方向が直行することを特徴とする請求項６に記載のファインダ装置。
【発明の詳細な説明】
【技術分野】
【０００１】
本発明は、ミラーを介して、被写体像を瞳に導光するファインダ装置に関し、ミラーの結露防止に好適なものである。
【背景技術】
【０００２】
ファインダ装置の中には、ミラーを介して、ＬＣＤなどの表示部に表示された動画や静止画を、ユーザーの瞳に導光するものある。こういったファインダ装置を寒冷地で使用する場合、ファインダ内で温められた水蒸気が、ミラー表面に付着する結露現象が発生することが知られている。この結露現象により、ファインダの視認性が低下することがある。
【０００３】
撮像装置の分野では、カメラ部の近傍に放熱されて暖気を、ポンプに接続された空気誘導路によって、レンズに送出することで、レンズの結露を防止する技術が特許文献１で開示されている。また、個体撮像素子の発熱を、放熱板と熱伝導部材を介して、レンズに送ることで、個体撮像装置の放熱とレンズ表面の結露防止とを兼ねる技術が特許文献２で開示されている。
【先行技術文献】
【特許文献】
【０００４】
【特許文献１】特開２００７−１０３９９８号公報
【特許文献２】特開平８−９２０８号公報
【発明の概要】
【発明が解決しようとする課題】
【０００５】
特許文献１で開示された技術をファインダ装置に適応する場合、暖気をミラーに送出ために、専用のポンプや空気誘導路が必要になり、部品点数の観点からは、好適な構成とならない。また、特許文献２においても熱源からミラーまでに複数の熱伝導専用の部材を介す構成になっているため、部品点数の観点からは、好適な構成とならない。そこで、少ない部品点数で発熱源の熱を放熱し、かつ、ミラーの結露防止を実現する技術が必要となる。
【課題を解決するための手段】
【０００６】
本発明のファインダ装置は、表示部と、前記表示部に表示される画像を反射するミラーと、前記ミラーを保持する保持部材と、電気素子と弾性伝熱部材を有し、前記弾性伝熱部材は前記電気素子と前記保持部材に接し、前記保持部材と前記ミラーの非反射面が接していることを特徴とする。
【発明の効果】
【０００７】
上記構成により、少ない部品点数で発熱源の熱を放熱し、かつ、ミラーの結露を防止できる効果がある。
【図面の簡単な説明】
【０００８】
【図１ａ】撮像装置斜視図。
【図１ｂ】撮像装置上面図。
【図１ｃ】ローアングル撮影時撮像装置斜視図。
【図１ｄ】ハイアングル撮影時撮像装置斜視図。
【図２ａ】ファインダ装置正面斜視図。
【図２ｂ】ファインダ装置背面斜視図。
【図３】光路説明図。
【図４】ルーペ部開状態斜視図。
【図５】パネルユニット斜視図。
【図６ａ】パネルユニット上面図。
【図６ｂ】パネルユニット断面図。
【図６ｃ】パネルユニット分解斜視図。
【図７】パネルユニット正面図。
【図８】ミラー固定説明図。
【図９】外装部材斜視図。
【発明を実施するための形態】
【０００９】
＜第１の実施形態＞
図１（ａ）は本実施例に係る撮像装置１の斜視図である。尚、図１（ａ）中の矢印にて示す方向を以下文中でＸ方向・Ｙ方向・Ｚ方向、と定める。また、各図におけるファインダ２の各要素において、図１（ａ）に示す＋Ｚ方向側面を上面、−Ｚ方向側面を底面、＋Ｘ方向側面をＲ面、−Ｘ側面をＬ面、＋Ｙ方向側面を正面、−Ｙ方側面を背面と記載する。
【００１０】
（図１（ａ）・図１（ｂ）、図１（ｃ）、図１（ｄ）の説明）
図１（ａ）、図１（ｂ）、図１（ｃ）、図１（ｄ）を用いて、ファインダ２と撮像装置１の位置関係について説明する。図１（ａ）のように、ファインダ２はファインダ取り付け部３、ハンドル４を介して撮像装置１の上面に取り付く。
【００１１】
図１（ｂ）は撮像装置１の上面図である。ハンドル４から伸びるハンドル側取り付け部５とファインダ取り付け部３のＸ方向レール部６が±Ｘ方向に並進移動可能に係合しているため、ファインダ２は撮像装置１に対して±Ｘ方向に複数の位置をとることができる。また、ハンドル４に取りつくハンドル側締め付け部７を回動することで、撮像装置１に対してファインダ２をＸ方向任意の位置に固定することができる。ファインダ側前方取り付け部８とＹ方向レール部９が並進移動可能に係合しているため、ファインダ２は撮像装置１に対して±Ｙ方向に複数の位置をとることができる。
【００１２】
また、ファインダ側前方締め付け部１０を回動することで、撮像装置１に対してファインダ２をＹ方向任意の位置に固定することができる。また、ファインダ側前方取り付け部８と取り付けアーム部１１の間と、ファインダ側後方取り付け部１２と取り付けアーム部１１の間には、それぞれＸ軸と平行な軸を中心に回動できる不図示の１軸トルクヒンジが組み込まれている。この構成によりファインダ２はＸ軸と平行な軸を中心として、ＹＺ平面上で本体に対して角度を変えることができる。
【００１３】
また、Ｙ軸、Ｚ軸方向に複数の位置をとることができる。このトルクヒンジの動きはファインダ側前方締め付け部１０、ファインダ側後方締め付け部１３を締め付けることで規制することができる。このように、本実施系のファインダ２は撮像装置１に対して、Ｘ方向、Ｙ方向、Ｚ方向に位置を変えることができる。また、Ｘ軸と平行な軸を中心にして、撮像装置１に対しての角度を変えることができる。
【００１４】
図１（ｃ）と図１（ｄ）を用いて、撮像装置１とファインダ２の相対的な姿勢が変化する例を説明する。図１（ｃ）は被写体が低い位置にいる場合の撮像装置１とファインダ２の関係を表している。この場合、ユーザーは上からファインダ２を覗きこむ。図１（ｄ）は被写体が高い位置にいる場合の撮像装置１とファインダ２の関係を表している。この場合、ユーザーは下からファインダ２を覗きこむ。このように、ユーザーは撮影形態に応じて、ファインダ２と撮像装置１の相対的な姿勢を変化させて撮像装置１を使うことができる。
【００１５】
（図２（ａ）・図２（ｂ）・図３・図４・図５の説明）
図２（ａ）・図２（ｂ）・図３・図４・図５を用いて、ファインダ２の概要を説明する。図２（ａ）はファインダ２の正面斜視図である。ファインダ２は後述するパネル２４を含むパネルユニット３１と、後述するレンズ群を含むルーペ部２９で構成される。ファインダ２には、ユーザーが顔をあてるためのアイカップ１４、視度を調整するため視度調整操作部１５、押釦式のメニューキー１６、押釦式のキャンセルキー１７、メニューモードの中でカーソルを動かす十字キー１８が備わっている。十字キー１８は４方向を選択するだけでなく、押釦することができる。
【００１６】
図２（ｂ）はファインダ２の背面斜視図である。ファインダ２には、３連のダイヤルキー１９ａ、１９ｂ、１９ｃ、４連のトグルキー２０ａ、２０ｂ、２０ｃ、２０ｄ、ダイヤルキー保護部２１を備えている。また、ファインダ２は撮像装置１からの映像信号とタリー信号を受け取り、撮像装置１にキー類からの入力信号を送るケーブルを差し込むための本体接続ジャック２２、撮影時にタリーランプが点燈するときに、不図示のＬＥＤ等の明かりを外部に透過するＬＥＤ窓２３を備えている。
【００１７】
図３は図２（ａ）から外装部材を取り除き、主要部材を表示した図である。図３内の破線はパネル２４の中心から発せられた光の光路２５ａ、光路２５ｂである。パネル２４から発せられた光はミラー２６でＸ軸と平行軸を中止に９０度曲げられて、固定レンズ２７・可動レンズ２８ａ、可動レンズ２８ｂの順で通過して、ユーザーの瞳に導かれる。可動レンズ２８ａと可動レンズ２８ｂは  図２（ａ）の視度調整操作部１５の動きと連動して±Ｙ方向に複数の位置をとることができる。図３において、メニューキー１６、キャンセルキー１７、十字キー１８、パネル２４、ミラー２６は前述したパネルユニット３１に内に配置している。
【００１８】
また、固定レンズ２７、可動レンズ２８ａ、可動レンズ２８ｂは前述したルーペ部２９内に配置している。ここで、光路２５ｂのミラー２６に向かう方向を視認方向と呼ぶことにする。ユーザーはルーペ部２９の跳ね上げや着脱にかかわらず、パネルユニット３１に対して一定となる視認方向を覗くことになる。ファインダ２において十字キー１８は視認方向に配置されている。
【００１９】
図４はファインダ２のルーペ部２９をトルクヒンジ３０を中心に略垂直に跳ね上げた状態の図である。この形態をとることで、ユーザーはミラー２６で反射したパネル２４に表示される不図示の画像をレンズを介さずに見ることができる。また、図５のように跳ね上げたルーペ部２９を外して、パネルユニット３１だけで使用することもできる。また、本実施形態におけるパネルユニット３１は、外装部材３２、外装部材３３、外装部材３４、外装部材３５の４つの金属外装で構成される。
【００２０】
（図６（ａ）、図６（ｂ）、図６（ｃ）、図７の説明）
図６（ａ）、図６（ｂ）、図６（ｃ）、図７を用いて、パネルユニット３１の放熱構造と、ミラー２６の結露防止構造について説明する。図６（ａ）はファインダ２のパネルユニット３１を上面から見た図である。また、図６（ｂ）は図６（ａ）のＡ−Ａ断面図である。また、図６（ｃ）はパネルユニット３１の分解斜視図である。
【００２１】
図６（ｂ）、図６（ｃ）において、パネル２４および、バックライト３６はパネルホルダー３７に保持される。バックライト３６の非照光面側と、外装部材３４の間には弾性部材３８、弾性部材５６および導電性弾性部材３９が設置されていて、パネル２４およびバックライト３６をパネルホルダー３７に付勢している。また、パネルホルダー３７のパネル２４が保持されている面の反対面は外装部材３２に固定されている。パネルホルダー３７の外装部材３２に接さない面の一部には透明のパネル保護板４０が貼られている。
【００２２】
ミラー２６の非反射面２６ｂは、外装部材３２に接し、ミラー２６の反射面２６ａは上側弾性部材４１と上側板金４２を介して外装部材３２に固定されると共に、下側弾性部材４３と下側板金４４を介して外装部材３２に固定されている。外装部材３２とミラー２６の固定方法として、外装部材３２にミラー２６を両目テープで張り付ける構成をとってもよい。ミラー２６とパネル２４はＹ−Ｚ平面上で異なる角度に配置されている。画像処理素子４５では、撮像装置１から送られた映像信号をパネル２４に不図示の画像として、表示するための画像処理がおこなわれている。
【００２３】
画像処理素子４５が実装された基板４６は外装部材３２のミラー２６が接しているのと反対側に締結されている。また、画像処理素子４５と外装部材３２の間には熱伝導性弾性部材４７が配置されている。パネル２４と基板４６はフレキシブル基板４８で接続されている。また、バックライト３６と基板４６はフレキシブル基板４９で接続されている。
【００２４】
画像処理素子４５で発熱した熱が、ミラー２６の非反射面に熱伝導性弾性部材４７、外装部材３２を介して伝わることにより、ミラー２６が温められる。これにより、寒冷地でファインダ２を使用する場合においても、ミラー２６がパネルユニット３１の内部温度より温められるため、ミラー２６が結露することを防止する効果がある。本実施形態では、結露防止に画像処理素子４５の発熱を利用したが、画像処理素子４５以外の発熱素子の熱を結露防止に使用することもできる。
【００２５】
また、図６（ｃ）のように画像処理素子４５および熱伝導性弾性部材４７がミラー２６面方向でミラー２６の略中央に配置されていることにより、画像処理素子４５で発熱した熱が外装部材３２、外装部材３４、外装部材３５、不図示の外装部材３３に略均等に拡散するため、パネルユニット３１の外観側に局所的に熱い場所ができにくくなる効果がある。
【００２６】
また、本実施系の構成では、画像処理素子４５を実装した基板４６がバックライト３６よりもＺ側ではなく、外装部材３２の−Ｙ側面に配置されている。この基板４６の位置により、ファインダ２のユーザーがファインダ２から眼を離し、ファインダ２の上から直接被写体を確認しようとした際に、図７のＰ領域が広くなる。これによりユーザーが視界を大きく確保できる効果がある。
【００２７】
（図７、図８、図９の説明）
図７、図８、図９を用いて、外装部材３２に対するミラー２６の固定方法を説明する。図８において、ミラー２６の非反射面２６ｂが外装部材３２に接する。反射面２６ａ−Ｚ端側は下側弾性部材４３、下側板金４４を介して、外装部材３２にＹ方向から固定されている。
【００２８】
反射面２６ａ＋Ｚ端側は上側弾性部材４１、上側板金４２を介して、外装部材３２にＹ方向から固定されている。ここで、下側弾性部材４３、下側板金４４、上側弾性部材４１、上側板金４２はミラー２６の側面５０を＋Ｘ方向に超えない位置に配置される。ミラー２６はＸ方向に関して、側面５１が外装部材３２の凸部５２、凸部５３に接する。また、側面５０は弾性部材５４、外装部材３３を介して、外装部材３２に固定される。
【００２９】
ここで、弾性部材５４はミラー２６と、外装部材３２、外装部材３３を同時に付勢できる位置に配置されている。ミラー２６面方向に関して、ミラー２６は外装部材３２の凹部５５と面５７の間に配置される。ミラー２６を外装部材３２に組みたてる場合は、ミラー２６を−Ｘ方向側から凹部５５と面５７の間をスライドさせて、凸部５２、凸部５３に当接するまで、＋Ｘ方向に挿入する。
【００３０】
下側弾性部材４３、下側板金４４、下側弾性部材４３、上側板金４２はミラー２６の側面を＋Ｘ方向に超えない位置に配置されることにより、図７において、ファインダ２のユーザーが右眼でファインダ２を覗きながら、左眼で被写体を確認しようとした場合、領域Ｑが広くなるため、視界を大きく確保できる効果がある。
【００３１】
また、外装部材３２、外装部材３３は金型を用いて製造されている。そのため、もし、外装部材３２、外装部材３３を一体化した場合には、Ｚ方向、Ｘ方向に抜き勾配が必要となり、光学的に不必要な部分まで、外装部材３２、外装部材３３を大きくする必要がある。外装部材３２、外装部材３３を別体にすることにより、外装部材３２、外装部材３３の離型方向をＹ方向にすることができる。外装部材３２、外装部材３３を２体化することにより１体化した場合より、＋Ｙ方向にパネルユニット３１を小型化することができる。図７において、ファインダ２のユーザーが右眼でファインダ２を覗きながら、左眼で被写体を確認しようとした場合、図８の領域Ｑが広くなるため、視界を大きく確保できる効果がある。
【００３２】
また、弾性部材５４がミラー２６、外装部材３３、外装部材３４を同時に付勢することができる構成により、弾性部材５４のみで、外装部材３２と外装部材３３の間からの光漏れ防止し、外装部材３２と外装部材３３間の防塵防滴性能が向上する。同時にミラー２６の外装部材３２に対するＸ方向位置決めを行うことができる。
【００３３】
以上、本発明をその好適な実施形態に基づいて詳述してきたが、本発明はこれらとくていの実施形態に限られるものではなく、この発明の要旨を逸脱しない範囲の様々な形態も本発明に含まれる。上述の実施形態の一部を適宜組み合わせてもよい。
【符号の説明】
【００３４】
１‥‥撮像装置
２‥‥ファンダ
３‥‥ファインダ取り付け部
４‥‥ハンドル
５‥‥ハンドル側取り付け部
６‥‥Ｘ方向レール部
７‥‥ハンドル側締め付け部
８‥‥ファインダ側前方取り付け部
９‥‥Ｙ方向レール部
１０‥‥ファインダ側前方締め付け部
１１‥‥取り付けアーム部
１２‥‥ファインダ側後方取り付け部
１３‥‥ファインダ側後方締め付け部
１４‥‥アイカップ
１５‥‥視度調整操作部
１６‥‥メニューキー
１７‥‥キャンセルキー
１８‥‥十字キー
１９a‥‥ダイヤルキー
１９b‥‥ダイヤルキー
１９c‥‥ダイヤルキー
２０a‥‥トグルキー
２０b‥‥トグルキー
２０c‥‥トグルキー
２０d‥‥トグルキー
２１‥‥ダイヤルキー保護部
２２‥‥本体接続ジャック
２３‥‥ＬＥＤ窓
２４‥‥パネル
２５ａ‥‥光路
２５ｂ‥‥光路
２６‥‥ミラー
２６ａ‥‥反射面
２６ｂ‥‥非反射面
２７‥‥固定レンズ
２８a‥‥可動レンズ
２８b‥‥可動レンズ
２９‥‥ルーペ部
３０‥‥トルクヒンジ
３１‥‥パネルユニット
３２‥‥外装部材
３３‥‥外装部材
３４‥‥外装部材
３５‥‥外装部材
３６‥‥バックライト
３７‥‥パネルホルダー
３８‥‥弾性部材
３９‥‥伝導性弾性部材
４０‥‥パネル保護板
４１‥‥上側弾性部材
４２‥‥上側板金
４３‥‥下側弾性部材
４４‥‥下側板金
４５‥‥画像処理素子
４６‥‥基板
４７‥‥熱伝導性弾性部材
４８‥‥フレキシブル基板
４９‥‥フレキシブル基板
５０‥‥側面
５１‥‥側面
５２‥‥凸部
５３‥‥凸部
５４‥‥弾性部材
５５‥‥凹部
５６‥‥弾性部材
５７‥‥面
【図１ａ】
2018107556.tif 000003
【図１ｂ】
2018107556.tif 000004
【図１ｃ】
2018107556.tif 000005
【図１ｄ】
2018107556.tif 000006
【図２ａ】
2018107556.tif 000007
【図２ｂ】
2018107556.tif 000008
【図３】
2018107556.tif 000009
【図４】
2018107556.tif 000010
【図５】
2018107556.tif 000011
【図６ａ】
2018107556.tif 000012
【図６ｂ】
2018107556.tif 000013
【図６ｃ】
2018107556.tif 000014
【図７】
2018107556.tif 000015
【図８】
2018107556.tif 000016
【図９】
2018107556.tif 000017